(57)【要約】【課題】パイプヒーターから冷凍室への熱侵入を抑制することが可能な冷凍冷蔵庫を提供する。【解決手段】冷凍室４を備えた冷凍冷蔵庫本体と、冷凍室４内で上下方向に配置された複数の容器６、７と、複数の容器６、７のうちの上段容器６の上部開口を覆い、冷凍室４の引出し式扉４ａの引出しに連動して上段容器６と共に冷凍室４から引出される蓋８とを備え、冷凍室天井部１２は、前方にパイプヒーター９を備えており、冷凍室天井部１２は、パイプヒーター９より後方に、蓋８側に向けて突出し、幅方向へ延びる冷凍室側凸部１４を備えており、蓋８は、天井部１２側に向けて突出し、幅方向へ延びる蓋側凸部８ｄを備えており、蓋側凸部８ｄは、引出し式扉４ａが閉じられた状態で冷凍室側凸部１４に前後方向で接触して蓋８と冷凍室天井部１２との間の空間を、パイプヒーター９側の前方空間と後方空間とに遮断する。【選択図】図３
2014238238.tif 000002
【特許請求の範囲】
【請求項１】
冷凍室を備えた冷凍冷蔵庫本体と、
前記冷凍室の前面に設けられた引出し式扉が引出された際、前記引出し式扉と共に前記冷凍室から引出され、上下方向に配置された複数の容器と、
前記複数の容器のうちの上段容器の上部開口を覆い、前記上段容器に対して前後方向に移動可能で前記引出し式扉の引出しに連動して前記上段容器と共に引出される蓋とを備え、
前記冷凍室の天井部は、前方にパイプヒーターを備えており、
前記天井部は、前記パイプヒーターより後方に、前記蓋側に向けて突出し、幅方向へ延びる冷凍室側凸部を備えており、
前記蓋は、前記天井部側に向けて突出し、幅方向へ延びる蓋側凸部を備えており、
前記蓋側凸部は、前記引出し式扉が閉じられた状態で前記冷凍室側凸部に前後方向で接触して前記蓋と前記冷凍室の前記天井部との間の空間を、前記パイプヒーター側の前方空間と後方空間とに遮断する
ことを特徴とする冷凍冷蔵庫。
【請求項２】
前記冷凍室に設けられ、前記引出し式扉が引出されて前記蓋の存在を視認可能な位置まで前記蓋が引出されたところで前記蓋の更なる前方への移動を規制するストッパーを更に備えた
ことを特徴とする請求項１記載の冷凍冷蔵庫。
【請求項３】
前記蓋は、前記上段容器に設けられた冷気吹出し口から前記上段容器内へ吹出された冷気を前記上段容器外へ流出させるための複数の穴を、前記冷凍室の奥行き寸法の２分の１より前側に備えている
ことを特徴とする請求項１又は請求項２記載の冷凍冷蔵庫。
【請求項４】
前記蓋に設けられた前記複数の穴は、前記蓋側凸部より後方に設けられている
ことを特徴とする請求項３記載の冷凍冷蔵庫。
【請求項５】
前記蓋は透明な材料で形成されている
ことを特徴とする請求項１〜請求項４の何れか一項に記載の冷凍冷蔵庫。
【発明の詳細な説明】
【技術分野】
【０００１】
本発明は、冷凍室を備えた冷凍冷蔵庫に関する。
【背景技術】
【０００２】
近年、共働きの家庭の増加や冷凍食品の発達の影響を受けて、家庭で食品を冷凍して保存する機会が多くなっている。そのため、家庭用冷凍冷蔵庫は冷凍室の容量や使い勝手を重視した形態が主流となっている。また、冷凍室の容量増加だけでなく、冷凍冷蔵庫の据付スペースの縮小化や、冷却運転における省エネルギー化も社会の重視するニーズとなっている。
【０００３】
冷凍室の使い勝手を重視した冷凍冷蔵庫として、例えば冷凍室内に高さの異なる複数の容器を重ねて配置している冷凍冷蔵庫がある（例えば特許文献１、２参照）。特許文献１、２では、冷凍室扉の引出しに伴って容器も引出されるように構成されている。そして、特許文献２では、上段容器に蓋を設けている。
【先行技術文献】
【特許文献】
【０００４】
【特許文献１】特開２００５−８３６８１号公報（要約、図２）
【特許文献２】特開２００７−２７１２４３号公報（第４頁、図３）
【発明の概要】
【発明が解決しようとする課題】
【０００５】
一般的に冷凍冷蔵庫周囲の気温と冷凍冷蔵庫の庫内温度とでは温度差が大きいため、冷凍冷蔵庫本体の表面に結露する可能性がある。この結露を防止するため、家庭用冷凍冷蔵庫ではパイプヒーターを冷凍冷蔵庫本体内に巡らしている。パイプヒーターの温度は３０℃〜４０℃程度であり、パイプヒーターは、通常、冷凍冷蔵庫の天井、背面、側面、正面フランジのそれぞれの外箱板金に接近して設置されている。
【０００６】
冷凍冷蔵庫の天井、背面、側面に関しては、パイプヒーターと冷凍冷蔵庫の内板との間に、ウレタン発泡断熱材及び真空断熱材を搭載できるため、ヒーターの発熱が庫内へ与える影響をほとんど無視することができる。しかし、正面フランジに対しては断熱材を入れることができず、構造上、パイプヒーターの熱が正面フランジを構成する板金に伝熱し、庫内へ侵入しやすい。特に冷凍室は庫内の温度が低いため、他の部屋よりもパイプヒーターからの熱侵入が多く、食品の保存品質や省エネへの悪影響が懸念される。
【０００７】
特許文献１、２では、冷凍室の使い勝手の向上や、冷凍室扉閉時の冷気漏れの抑制効果は得られるものの、パイプヒーターからの熱侵入については何ら検討されておらず、パイプヒーターからの熱侵入を抑制する技術が求められている。
【０００８】
また、特許文献２では上段容器の上部開口に蓋をすることで、扉開時の冷気漏れを防止し、冷凍室の温度を上がり難くして、省エネルギーを実現している。しかし、常時、上段容器と一緒に蓋が出てくるため、使用者が都度、蓋を開けなければならなくなり、使い勝手が悪くなる問題がある。
【０００９】
本発明はこのような点を鑑みなされたもので、パイプヒーターから冷凍室への熱侵入を抑制することが可能な冷凍冷蔵庫を提供することを目的とする。また、複数の容器を重ねて配置された冷凍室において、上段容器の蓋を毎回開けなくて済み、使い勝手の良い冷凍冷蔵庫を提供することを目的とする。
【課題を解決するための手段】
【００１０】
本発明に係る冷凍冷蔵庫は、冷凍室を備えた冷凍冷蔵庫本体と、冷凍室の前面に設けられた引出し式扉が引出された際、引出し式扉と共に冷凍室から引出され、上下方向に配置された複数の容器と、複数の容器のうちの上段容器の上部開口を覆い、上段容器に対して前後方向に移動可能で引出し式扉の引出しに連動して上段容器と共に引出される蓋とを備え、冷凍室の天井部は、前方にパイプヒーターを備えており、天井部は、パイプヒーターより後方に、蓋側に向けて突出し、幅方向へ延びる冷凍室側凸部を備えており、蓋は、天井部側に向けて突出し、幅方向へ延びる蓋側凸部を備えており、蓋側凸部は、引出し式扉が閉じられた状態で冷凍室側凸部に前後方向で接触して蓋と冷凍室の天井部との間の空間を、パイプヒーター側の前方空間と後方空間とに遮断するものである。
【発明の効果】
【００１１】
本発明によれば、パイプヒーターから冷凍室への熱侵入を抑制することが可能な冷凍冷蔵庫を得ることができる。
【図面の簡単な説明】
【００１２】
【図１】本発明の実施の形態１に係る冷凍冷蔵庫の正面図である。
【図２】図１の冷凍室４の端面図である。
【図３】図２の点線で囲った部分の拡大端面図である。
【図４】図２の上段容器６に蓋８が閉じられた状態を示す図である。
【図５】図４のＸ−Ｘ端面図である。
【図６】図４のＹ−Ｙ端面図である。
【図７】図２の蓋８の拡大斜視図である。
【図８】本発明の実施の形態１に係る冷凍冷蔵庫における冷凍室４の引出し式扉４ａを開いた際の冷凍庫断面図である。
【図９】図８の点線で囲った部分の拡大端面図である。
【発明を実施するための形態】
【００１３】
図１は、本発明の実施の形態１に係る冷凍冷蔵庫の正面図である。
冷凍冷蔵庫本体は、最上段に冷蔵室１を備えており、冷蔵室１の前面開口は、上下ヒンジによって回転式に開閉可能に冷凍冷蔵庫本体に取り付けられた冷蔵室扉１ａ、１ｂによって開閉される。冷蔵室１の下には、製氷室２及び冷凍〜冷蔵まで設定温度を切り替えできる切替室３が左右に並列に配置されている。製氷室２では、図示はしないが冷蔵室１内に設けられた給水タンクに水を入れておくと、自動的に製氷動作を行い、作られた氷が製氷室２内に設けられた貯氷ケース内に溜められるようになっている。冷凍冷蔵庫の最下段には冷凍室４を備え、冷凍室４の上には野菜室５を備えている。製氷室２、切替室３、冷凍室４及び野菜室５のそれぞれは、引出し式の製氷室扉２ａ、切替室扉３ａ、冷凍室扉（以下、引出し式扉という）４ａ及び野菜室扉５ａにより開閉される。
【００１４】
図２は、図１の冷凍室４の端面図である。図２中の矢印は冷気の流れを示している。図３は、図２の点線で囲った部分の拡大端面図である。図４は、図２の上段容器６に蓋８が閉じられた状態を示す図である。図５は、図４のＸ−Ｘ端面図である。図６は、図４のＹ−Ｙ端面図である。図７は、図２の蓋８の拡大斜視図である。図８は、本発明の実施の形態１に係る冷凍冷蔵庫における冷凍室４の引出し式扉４ａを開いた際の冷凍庫断面図である。図９は、図８の点線で囲った部分の拡大端面図である。
【００１５】
冷凍室４には、冷凍室天井部１２と冷凍室床部１６との間に、上段容器６と下段容器７とが上下方向に重ねて収納されている。下段容器７は、引出し式扉４ａの前方への引出しに連動して引出されるように構成されている。上段容器６は、下段容器７の上部に、下段容器７に対して前後方向に移動可能に配置されており、引出し式扉４ａの前方への引出しに連動して下段容器７と共に引出される。
【００１６】
下段容器７は、引出し式扉４ａが閉じられた扉閉時、上部開口が上段容器６によって覆われており、後方のみが、冷却器（図示せず）からの冷気が吹出される冷気吹出し口７ａとして開口している。また下段容器７は側面に穴８ｂ（図示せず）が開いており、後方の冷気吹出し口７ａから下段容器７内に吹出された冷気を側面の穴８ｂから下段容器７外に流出させる風路を構成している（図２）。
【００１７】
上段容器６は、扉閉時、上部開口が蓋８で覆われており、後方のみ冷気吹出し口１１として開口している。蓋８は、上段容器６の左右側壁に設けたフランジ（図示せず）上をスライドして動くように構成され、蓋８の前縁には、上段容器６の前縁との密着度を高めるため、ガスケット１５を備えている。なお、蓋８は食品の取り出し性、収納性を阻害しないようにするため、透明な材料で構成されている。
【００１８】
上段容器６に蓋８をすることで密閉度が高まり、冷気漏れを防止できるようになるが、その一方で、後方の冷気吹出し口１１から上段容器６内に冷気が吹き込まれると、上段容器６の内圧が高まり、上段容器６内に冷気が入り難くなる。そして、上段容器６に入れなくなった冷気が冷凍室４内を冷却することなく戻り風路４０に入ってしまうことによる冷却不良を引き起こす可能性もある。そこで、本実施の形態１では、蓋８に、冷気を通過させるための複数の穴８ｂを、冷凍室４の奥行き寸法の２分の１より前側に左右方向に間隔を空けて設けている。これにより、後方の冷気吹出し口７ａから上段容器６内に吹出されて上段容器６内を冷却した冷気が、前方の複数の穴８ｂを介して戻り風路４０に流れ込む流路が形成される。よって、上段容器６内の内圧が高まることが抑制され、上段容器６内を十分に冷却することができる。
【００１９】
冷凍室４は、蓋８の前方向の移動位置を規制するストッパー１４を冷凍室天井部１２に備えている。また、蓋８は、ストッパー１４に当接する突部８ｃを備えており、図８に示すように、使用者により引出し式扉４ａが前方に引出されると、上段容器６と共に蓋８も前方に移動し、突部８ｃがストッパー１４に接触したところで停止し、それ以上、前に出ない構造になっている。具体的には、使用者が蓋８の存在を視認可能な位置、具体的には例えば、使用者が蓋８の先端部（取っ手部８ａ）を上部から見て視認できる位置まで蓋８が前方に出てきたところで、その位置より更なる前方への移動が規制されるよう、突部８ｃとストッパー１４との位置関係が設定されている。
【００２０】
また、本実施の形態１では、パイプヒーター９からの冷凍室４内への熱侵入を抑制する構造を採用している。具体的には、図３に示すように蓋８の前方側に、冷凍室天井部１２側に向けて突出し全幅方向に延びる蓋側凸部８ｄが設けられており、引出し式扉４ａを閉めた状態では、冷凍室天井部１２から下方に突出したストッパー１４と前後方向（冷凍冷蔵庫奥行き方向）に接触し、蓋側凸部８ｄの前後の空間を物理的に断絶する（図２、図３）。これにより、パイプヒーター９の発熱が正面フランジ１０を伝わって庫内へ侵入しても、蓋側凸部８ｄの前側の空間１３内の空気を暖めるだけで、蓋側凸部８ｄよりも後方にある空気、すなわち戻り風路４０内の空気を暖めることはない。本実施の形態１では、ストッパー１４が、蓋側凸部８ｄと共に空間１３を戻り風路４０から遮断する冷凍室側凸部として機能している。また、本実施の形態１では、蓋側凸部８ｄが蓋８の取っ手部８ａとしても機能している。
【００２１】
以上のような構成によって、引出し式扉４ａを前方へ引出すことにより、下段容器７と共に上段容器６が引出される。上段容器６と共に蓋８も前方に引出されるが、使用者が蓋８を視認できるところまで蓋８が移動したとき、蓋８の突部８ｃがストッパー１４に当接し、それ以上、蓋８は前方に出ない。よって、蓋８は、使用者の視界から取っ手部８ａ以外は視認不可能な位置にある。したがって、蓋８によって使用者の視界が遮ぎられることがなく、食品の視認性を阻害しない。また、上段容器６の食品を収納又は取り出すときに蓋８を開ける必要がなく、蓋８の開閉操作におけるストレスを使用者に与えない。
【００２２】
また、使用者が上段容器６に蓋８をする場合は、蓋８を引出すことで上段容器６を密閉することができ、冷気漏れを防止することができる。また、下段容器７から食品を取り出すときは、上段容器６を後方へスライドさせればよい。そして、引出し式扉４ａが閉じられると、下段容器７は冷凍室４内の所定の収納位置に向けて後方に移動し、下段容器７が収納位置に位置した状態において（図２）、下段容器７の上部開口は上段容器６によって覆われ、上段容器６の上部開口は蓋８によって覆われた状態となる。
【００２３】
以上説明したように本実施の形態１によれば、蓋８に設けた蓋側凸部８ｄと冷凍室４に設けたストッパー１４とにより、蓋８と冷凍室天井部１２との間の空間を前後で遮断し、扉閉時には、パイプヒーター９からの伝熱により暖められた空気を蓋側凸部８ｄより前側の空間１３に留めることができる。よって、戻り風路４０内の空気が暖められることが無く、冷却器（図示せず）の負荷上昇を抑えることができ、省エネルギーにつながる。
【００２４】
また、空間１３は、空気の断熱層として機能し、パイプヒーター９及び外気からの熱が庫内に侵入することを妨げる効果を持つ。よって、パイプヒーター９及び外気からの熱の庫内への熱侵入量の減少が期待できる。その結果、庫内の温度上昇を避けることができ、消費電力量を低減することができる。
【００２５】
また、上段容器６を覆う蓋８が、扉開時に使用者が視認できるところまで蓋８が引出されたところでそれ以上、前方に出て来ない構造としたので、従来構造において引出し式扉４ａを開ける度に蓋８の開閉操作が必要であったストレスを解消できる。また、蓋８は取っ手部８ａ以外は視認不可能な位置にあるため、使用者の視界を遮ることがないので、食品の視認性を阻害しない。
【００２６】
また、蓋８は、上段容器６の奥行き寸法の半分よりも前側に複数の穴８ｂを備えているため、冷凍室４の上段容器６の後方より上段容器６内に吹き込んだ冷気が上段容器６内を通過して前方に設けた複数の穴８ｂから上段容器６外へ抜ける構造となる。よって、上段容器６の内圧が高まることによる上段容器６の冷却不良を防止でき、効率の良い冷却を行うことができる。また、穴８ｂは蓋側凸部８ｄよりも後方に位置しているため、空間１３内の暖められた空気と上段容器６内の冷気とが混合することがないため、上段容器６内の温度上昇を抑えることができ、省エネルギーにつながる。
【００２７】
なお、本実施の形態１では、冷凍室４内に上段容器６と下段容器７の２つの容器を重ねて収納した例を示したが、３つ以上の容器を重ねて収納した構成としてもよく、引出し式扉と共に引出される複数の容器のうち、最上段の上段容器の上部開口に、上記の動作を行う蓋を備えた構成としてもよい。
【符号の説明】
【００２８】
１  冷蔵室、１ａ  冷蔵室扉（左）、１ｂ  冷蔵室扉（右）、２  製氷室、２ａ  製氷室扉、３  切替室、３ａ  切替室扉、４  冷凍室、４ａ  冷凍室扉（引出し式扉）、５  野菜室、５ａ  野菜室扉、６  上段容器、７  下段容器、７ａ  冷気吹出し口、８  蓋、８ａ  取っ手部、８ｂ  穴、８ｃ  突部、８ｄ  蓋側凸部、９  パイプヒーター、１０  正面フランジ、１１  冷気吹出し口、１２  冷凍室天井部、１３  蓋側凸部８ｄの前側の空間、１４  ストッパー（冷凍室側凸部）、１５  ガスケット、１６  冷凍室床部、４０  戻り風路。
【図１】
2014238238.tif 000003
【図２】
2014238238.tif 000004
【図３】
2014238238.tif 000005
【図４】
2014238238.tif 000006
【図５】
2014238238.tif 000007
【図６】
2014238238.tif 000008
【図７】
2014238238.tif 000009
【図８】
2014238238.tif 000010
【図９】
2014238238.tif 000011